(57)【要約】【課題】  利用者がいつでもどこでもインターネットに接続できる若しくはインターネットを利用できるいわゆるユビキタス環境を実現すべく、コンビニエンスストア、病院、ホテル等の施設内に設置し、利用者が簡単且つ快適に利用できるインターネット接続環境を実現する情報端末ボックスを提供する。【解決手段】  周囲をパネルで囲まれたボックス本体１の内部に、少なくとも所定高さに設けた天板と、該天板に対向させて設けた椅子３と、インターネット接続時間に応じて課金する課金装置とを備えてなる情報端末ボックスであって、ボックス本体に、一側の壁面部の床面近傍から天井部を通って反対側の壁面部の床面近傍まで連続した帯状の通気パネル２０，２８を設けた。【選択図】        図１
2005085100.tif 000002
【特許請求の範囲】
【請求項１】
周囲をパネルで囲まれたボックス本体の内部に、少なくとも所定高さに設けた天板と、該天板に対向させて設けた椅子と、インターネット接続時間に応じて課金する課金装置とを備えてなる情報端末ボックスであって、前記ボックス本体に、一側の壁面部の床面近傍から天井部を通って反対側の壁面部の床面近傍まで連続した帯状の通気パネルを設けたことを特徴とする情報端末ボックス。
【請求項２】
周囲をパネルで囲まれたボックス本体の内部に、少なくとも所定高さに設けた天板と、該天板に対向させて設けた椅子と、該天板の上方側部に設けたインターネット接続時間に応じて課金する課金装置と、該天板の上方正面部に設けたモニター収納部とを備えてなる情報端末ボックス。
【請求項３】
前記ボックス本体は、床面に設置するベース体と、該ベース体上に立ち上げた壁パネル体と、該壁パネル体の上部に連結したドーム状の天井パネル体とから構成してなる請求項１又は２記載の情報端末ボックス。
【請求項４】
前記天板の下方側部に、キーボード収納部を設けてなる請求項１〜３何れかに記載の情報端末ボックス。
【請求項５】
前方及び上方へのみ照明可能なシェードを備えたフラット状の照明具を天板の後部上方に設置してなる請求項１〜４何れかに記載の情報端末ボックス。
【請求項６】
前記椅子は、立設した両側一対の脚柱の上端部間に長尺の座クッション体を渡設したものである請求項１〜５何れかに記載の情報端末ボックス。
【発明の詳細な説明】
【技術分野】
【０００１】
本発明は、情報端末ボックスに係わり、更に詳しくはインターネット接続が可能な情報端末ボックスに関するものである。
【背景技術】
【０００２】
従来から、街角で情報を伝達する端末として公衆電話ボックスがある。この公衆電話ボックスは、主に音声通話を目的としたものであり、市民生活や旧来のビジネスにおける社会インフラとして産業発展に重要な地位を占めてきたが、近年に至り爆発的な携帯電話の普及によってその使命を終えようとしている。
【０００３】
一方、インターネットは、１９９０年代に入って一般にも簡単に利用できるようになり、その情報伝達の双方向性、情報伝達速度の高速性、扱える情報の多様性等の優れた特性によってパソコンの性能向上と相俟って爆発的に普及し始め、更に携帯電話でもインターネットが利用できるようになってからはその普及率に拍車がかかっている。更に、無線ＬＡＮの進歩も目覚しく、駅や一部の飲食店等ではアクセスポイントを設置し、オープンスペースにおいて通信機能を有する携帯情報端末でインターネット接続できるようになってきた。
【０００４】
現在、ｅ−ｊａｐａｎ構想を主軸にインフラの整備、電子商取引、電子政府等、ＩＴに関する大きな動きがある。また、ＩＴを活用した行政の省力化、効率化、学校・大学構内のインフラ化、ＩＴ機器配備、家庭等へのパソコン、インターネットの普及拡大等、ハードウエアによるインフラ構築が急速に進みつつある。利用者がいつでもどこでもインターネットに接続できる若しくはインターネットを利用できるいわゆるユビキタス環境を作っていくことが今後の重要な課題である。
【０００５】
このため、本出願人は、街角等の屋外に設置して、利用者がボックス内に入り、手持ちのパソコンをボックス内に設けたインターネット接続用コードに接続してインターネットを利用できるようにしたインターネット接続用ボックスを提案している（特許文献１）。このボックス内には、パソコン操作用の机や椅子を取付可能となっている。しかし、特許文献１記載のインターネット接続用ボックスは、持ち込みのパソコンを接続することを前提としているため、常時パソコンを持ち歩いてない者には使用できないといった不便がある。
【特許文献１】意匠登録第１１８０２２５号公報
【発明の開示】
【発明が解決しようとする課題】
【０００６】
本発明が前述の状況に鑑み、解決しようとするところは、利用者がいつでもどこでもインターネットに接続できる若しくはインターネットを利用できるいわゆるユビキタス環境を実現すべく、コンビニエンスストア、病院、ホテル等の施設内に設置し、利用者が簡単且つ快適に利用できるインターネット接続環境を実現する情報端末ボックスを提供する点にある。
【課題を解決するための手段】
【０００７】
本発明は、前述の課題解決のために、周囲をパネルで囲まれたボックス本体の内部に、少なくとも所定高さに設けた天板と、該天板に対向させて設けた椅子と、インターネット接続時間に応じて課金する課金装置とを備えてなる情報端末ボックスであって、前記ボックス本体に、一側の壁面部の床面近傍から天井部を通って反対側の壁面部の床面近傍まで連続した帯状の通気パネルを設けてなる情報端末ボックスを構成した（請求項１）。
【０００８】
また、本発明は、周囲をパネルで囲まれたボックス本体の内部に、少なくとも所定高さに設けた天板と、該天板に対向させて設けた椅子と、該天板の上方側部に設けたインターネット接続時間に応じて課金する課金装置と、該天板の上方正面部に設けたモニター収納部とを備えてなる情報端末ボックスを構成した（請求項２）。
【０００９】
ここで、前記ボックス本体は、床面に設置するベース体と、該ベース体上に立ち上げた壁パネル体と、該壁パネル体の上部に連結したドーム状の天井パネル体とから構成することが好ましい（請求項３）。
【００１０】
また、前記天板の下方側部に、キーボード収納部を設けてなることも好ましい（請求項４）。
【００１１】
そして、前方及び上方へのみ照明可能なシェードを備えたフラット状の照明具を天板の後部上方に設置してなることも好ましい（請求項５）。
【００１２】
更に、前記椅子は、立設した両側一対の脚柱の上端部間に長尺の座クッション体を渡設したものであることが好ましい（請求項６）。
【発明の効果】
【００１３】
以上にしてなる請求項１に係る発明の情報端末ボックスは、周囲をパネルで取り囲んでいるので、落ち着きのある空間が形成され、プライバシーの確保もできるにも係らず、ボックス本体に、一側の壁面部の床面近傍から天井部を通って反対側の壁面部の床面近傍まで連続した帯状の通気パネルを設けているので、電子機器から発生する熱の放熱、換気を十分に行うことができ、通気性に優れたものとなる。
【００１４】
請求項２によれば、周囲をパネルで取り囲んでいるので、落ち着きのある空間が形成され、プライバシーの確保もでき、しかも椅子に座った状態で課金装置を利用することができ、ボックス本体内の空間の有効利用を図ることができ、更に天板の正面には備え付けのモニター収納部を有するので、天板の前部を有効に活用することができる。
【００１５】
請求項３によれば、ボックス本体は、壁パネル体と天井パネル体とに分離しているので、取扱いを容易になり、またエレベーターで搬送することもでき、更にボックス本体が全体的に丸みを呈する形状をなすので、内外からの圧迫感を和らげることができる。
【００１６】
請求項４によれば、ボックス本体内に備え付けのパソコンを操作するためのキーボードを使用しないときに、キーボード収納部に収納して天板上を広くし、手持ちのパソコンを天板上に置いて使用することができる。
【００１７】
請求項５によれば、照明具から投射された光は前方又は上方へ進み、特に上方へ出た光は天井パネル体の内面で反射されてボックス内を全体的に間接照明するので落ち着きのある雰囲気を作り出し、しかもこのように照明することで、パソコンのディスプレイが見やすくなるのである。
【００１８】
請求項６によれば、椅子の奥行幅を大幅に抑制できるので、ボックス本体内の空間を効率良く利用することができ、しかも横幅を広く設定することにより、一つの椅子に二人が座ることができる。
【発明を実施するための最良の形態】
【００１９】
次に、本発明の実施形態を添付図面に基づき詳細に説明する。図１〜図５は本発明の情報端末ボックスの代表的実施形態を示し、図６〜図１０はその内部構造を示し、図中符号１はボックス本体、２は天板、３は椅子、４は課金装置、５はモニター収納部、６はキーボード収納部、７は照明具をそれぞれ示している。
【００２０】
前記ボックス本体１は、床面に設置するベース体８と、該ベース体８上に立ち上げた壁パネル体９と、該壁パネル体９の上部に連結したドーム状の天井パネル体１０とから構成され、内部は高さ約２００ｃｍの空間を形成している。前記ボックス本体１は、全体的に丸みを呈する形状をなし、内外からの圧迫感を和らげるように工夫されている。また、前記ボックス本体１には、壁パネル体９から天井パネル体１０にかけて出入りするための開閉扉１１を設けている。この開閉扉１１は、半透明であっても不透明であっても構わない。尚、前記ボックス本体１を壁パネル体９と天井パネル体１０とに分離した理由は、エレベーターで搬送することを配慮し、取扱いを容易にするためである。因みに、前記壁パネル体９の高さは１４０〜１５０ｃｍにとどめている。
【００２１】
そして、前記ボックス本体１の内部には、天板２を備えるとともに、該天板２に対向させて椅子３を設置し、更に前記天板２の上方側部には課金装置４を設けるとともに、上方正面部にはモニター収納部５を設け、そして天板２の下方側部にはキーボード収納部６を設けている。
【００２２】
更に詳しくは、前記ボックス本体１のベース体８は、平面視形状が長方形の四隅を円弧状に切り落とした形状を有し、中央に長尺方向に向けて断面コ字形のチャンネル部材１２を十字に配設し、該チャンネル部材１２の両側に補強部材１３，…を複数固着し、前記チャンネル部材１２の両端と各補強部材１３，…の端部を連結するように巾木部材１４が固定されている。そして、前記ベース体８の四隅部に相当する前記補強部材１３，…には、アジャスター１５，…を設け、更に上面には床パネル１６を施設している。前記チャンネル部材１２，１２は、上方に凹溝１７を向け、中央部で互に連通しており、該凹溝１７を利用して床下の配線を可能とし、更に該凹溝１７の端部に相当する前記巾木部材１４にはコード挿通孔１８を開設している。ここで、前記コード挿通孔１８にはキャップを設けておき必要に応じてキャップを外して配線を行うのである。尚、後述の椅子３を取付けた後に前記チャンネル部材１２を利用して配線できるように、前記床パネル１６は取外し可能となっている。
【００２３】
また、前記壁パネル体９は、前記ベース体８の円弧状のコーナー部に対応する４枚のコーナーパネル１９，…と、短辺側の隣接するコーナーパネル１９，１９間に連結する２枚の壁通気パネル２０，２０と、長辺側の隣接するコーナーパネル１９，１９間で一方の側に連結する壁パネル２１と、長辺側の隣接するコーナーパネル１９，１９間で他方の側に設ける開閉扉１１とから構成されている。前記コーナーパネル１９は、例えばスチール板を円弧状に湾曲させて加工したもので、上下方向の圧縮強度が強く、支柱の働きをするものであり、上下端にフランジ部２２，２２を有し、下端フランジ部２２を前記ベース体８のコーナー部に対応する巾木部材１４の上面にネジ止めして立起状態に保持する。前記壁通気パネル２０は、例えばパンチングメタル材を用いて形成し、両側縁に沿って前記コーナーパネル１９の端部の内側に嵌合し、内部からネジ止め連結できる連結部２３，２３を設けている。前記壁パネル２１は、板状のパネルであり、上下端にフランジ部２４，２４を有し、下端フランジ部２４を前記ベース体８の直線部に対応する巾木部材１４の上面にネジ止めするとともに、両側縁を隣接する両コーナーパネル１９，１９の端面にネジ止めして連結する。尚、前記壁パネル２１の上端フランジ部２４には、後述の天井パネル体１０の形状に対応して半円状の延長パネル２５をネジ止め連結する。そして、前記開閉扉１１は、前記壁パネル２１と延長パネル２５を合せた形状と同じ形状、即ち縦長長方形の上端短辺が上方に円弧状に膨らんだ形状を有し、一方のコーナーパネル１９の側端部に蝶番２６，２６にて開閉可能に取付けている。尚、前記開閉扉１１は、内部から施錠できるようにしても良い。
【００２４】
そして、前記天井パネル体１０は、長辺側の隣接するコーナーパネル１９，１９の上端間を連結する二つのアーチパネル２７，２７と、両アーチパネル２７，２７間に渡して設ける側面視倒Ｕ字形の天井通気パネル２８とから構成されている。前記アーチパネル２７は、例えばスチール板を三次元円弧状にプレス成形したものであり、下端には前記コーナーパネル１９の上端フランジ部２２にネジ止め連結するためのフランジ部２９を設け、側面には半円状の切欠部３０を設けている。前述の延長パネル２５は、アーチパネル２７の切欠部３０内に嵌合し、該延長パネル２５の円弧部に複数突設した突片２５Ａ，…を前記切欠部３０の円弧縁内側に係合させてネジ止めしている。前記天井通気パネル２８は、前記壁通気パネル２０と幅及び構造が同じであるが、全体形状を倒Ｕ字形に成形したものである。
【００２５】
このように、前記ボックス本体１は、各部材を現地へ搬入し、ノックダウン方式で組立てるのであるが、その組立ては極めて簡単である。つまり、先ず所定位置に前記ベース体８をレベル出しして設置する。それから、４枚のコーナーパネル１９，…をベース体８のコーナー部に立設する。次に、短辺側のコーナーパネル１９，１９間にそれぞれ壁通気パネル２０，２０を連結し、長辺側のコーナーパネル１９，１９間に壁パネル２１とその上端に延長パネル２５を連結する。それから、二つのアーチパネル２７，２７をそれぞれ長辺側のコーナーパネル１９，１９の上端間に渡して連結し、最後に両アーチパネル２７，２７間に天井通気パネル２８を連結する。そして、最後に開閉扉１１を長辺側のコーナーパネル１９，１９間の開口部に取付ける。このように組立てたボックス本体１は、一側の壁通気パネル２０、天井通気パネル２０、他側の壁通気パネル２０が連続したものとなり、即ち一側の壁面部の床面近傍から天井部を通って反対側の壁面部の床面近傍まで連続した帯状の通気パネルが形成されるのである。本実施形態のボックス本体１は、周囲を壁パネル体９と天井パネル体１０で囲まれて外部から遮断されているので、落ち着きのある空間が形成され、更にプライバシーの確保もできるにも係らず、前記２枚の壁通気パネル２０，２０と天井通気パネル２８が連続した構成となり、電子機器から発生する熱の放熱、換気を十分に行うことができる。
【００２６】
次に、前記ボックス本体１の内部に設ける設備について説明する。前記天板２は、ボックス本体１内の一方の短辺側に寄せて適宜な高さに保持し、本実施形態では図４に示すように両端を脚板３１，３１で支持し、該脚板３１，３１はベース体８に固定している。そして、図２、図４、図６及び図７に示すように、前記天板２の左手に開閉扉１１がある場合には、該天板２の下方右側端に前面が開放した箱型の前記キーボード収納部６を取付けるとともに、天板２の後部に沿って格納部３２を設け、該格納部３２にはパソコン（図示せず）の本体部や、ルーター又はターミナルアダプタ等のインターネット接続装置（図示せず）を格納している。この格納部３２の前面は、点検パネル３３をネジ止めして塞ぎ、背面には通気孔３４，…を設けている。この点検パネル３３は、ネジの頭部を特殊な形状にしたり、鍵を設けたりして簡単には開かないようになっており、パソコン本体部の防盗性を高めている。また、前記格納部３２の下端と床パネル１６との間には足を入れるための十分な空間が確保されている。また、前述のインターネット接続装置をＩＰ電話の機能を備えたものにするとともに、ＩＰ電話機を設置するか、若しくはパソコンに通話ソフトをインストールしておけばより好ましい。更に、ボックス内に人の存在を感知するセンサーを設け、利用者の有無を監視し、また長時間滞留者に警告を発するなどの機能を備えさせることも実用的である。
【００２７】
前記椅子３は、図１〜図３に示すように、前記天板２に対向してボックス本体１内の他方の短辺側に寄せて設置している。本実施形態の椅子３は、省スペースを図るため、ベース体８に立設した両側一対の脚柱３５，３５の上端部間に円柱状の座クッション体３６を渡設するとともに、両脚柱３５，３５の上端から斜め上後方に背凭れ杆３７，３７を延設し、両背凭れ杆３７，３７の上端部間に円柱状の背クッション体３８を渡設している。ここで、前記脚柱３５は、座クッション体３６の高さを調節するため伸縮可能な構造にすることも好ましい。また、前記脚柱３５に対して背凭れ杆３７は、固定的であっても良いが、角度を調節できるようにして、利用者の体格に応じて背クッション体３８の前後位置を調節できるようにすることも好ましい。また、前記脚柱３５に対して背凭れ杆３７が固定的であっても、背凭れ杆３７に沿った方向に背クッション体３８を移動し保持できるようにすることでも同様に調節することができる。尚、前記椅子３の横幅を広く設定した、いわゆる長椅子とすることにより、一つの椅子に同時に二人以上が座ることができる。
【００２８】
また、前記課金装置４は、図２〜図４に示すように、前記天板２の上方側部であって、前記壁パネル２１に筐体３９を取付け、該筐体３９に対して保守、点検時に開閉可能に設けた操作板４０には、少なくともコイン投入口４１、紙幣吸込口４２、返却レバー４３、返却口４４及び使用可能時間等を表示する表示部４５を備えている。つまり、インターネット接続時間に応じた従量制の課金方式としている。尚、現金の他、プリペイドカード、電子マネー等も利用できるようにすることも好ましい。
【００２９】
そして、前記モニター収納部５は、図２〜図４、図６〜図９に示すように、前記天板２の上方正面部に設けられ、内部に液晶パネル等のフラットディスプレイＤを収納し、その前面に透光性を有する保護カバー４６を開閉可能に設けたものである。更に詳しくは、前記モニター収納部５は、前記天板２の後部に上設し、後傾した前面パネル部材４７とその後部を取り囲む背面パネル部材４８とからなり、前記前面パネル部材４７の中央部には四角形の開口部４９を形成し、該開口部４９に対応する背面位置にフラットディスプレイＤを取付けるフレーム状の保持部材５０を固着している。そして、前記開口部４９内の保持部材５０にフラットディスプレイＤを取付けた状態で、前記保護カバー４６の上端部を前記開口部４９の上端部に対応する前面パネル部材４７又は保持部材５０に、ヒンジ部材５１，５１にて前後回動可能に取付けるとともに、保護カバー４６の下端部に施錠具５２を設け、前記開口部４９の下端部に対応する前面パネル部材４７又は保持部材５０に設けた係合部５３に係脱可能となしている。このように、比較的持ち運びが容易なフラットディスプレイＤを、モニター収納部５の内部に格納し、その前面を施錠可能な保護カバー４６で塞いだので、防盗性が非常に高くなる。
【００３０】
ここで、前記前面パネル部材４７は、上部が後方へ傾斜した状態、つまり後傾しているので、上端部が回動可能に支持された前記保護カバー４６は、その自重によって安定的に前記開口部４９を塞いだ状態となり、前記施錠具５２による施錠操作が容易になる。また、前記保護カバー４６は、後傾しているので、該保護カバー４６の法線方向が利用者のやや見下ろす目線と略平行になり、つまり保護カバー４６に直交する目線でフラットディスプレイＤを見ることになるので、非常に見やすくなる。尚、前記保護カバー４６に、反射防止機能を持たせれば更に光の反射を抑制してフラットディスプレイＤが見やすくなる。
【００３１】
前記背面パネル部材４８には、複数の大きな放熱用開口５４，…を形成し、フラットディスプレイＤから発生した熱を、保持部材５０の開口、放熱用開口５４，…及び壁通気パネル２０及び天井通気パネル２８を通して外部に排出するようになっている。尚、前記フラットディスプレイＤの代わりに、ＣＲＴをモニター収納部５に格納しても良い。更に、前記モニター収納部５のフラットディスプレイＤの背後空間に、パソコンの本体部やインターネット接続装置を格納することも可能である。
【００３２】
また、前記前面パネル部材４７の下端部には、電源コンセント５５及びモジュラジャック５６を設けている。また、使用可能時間を表示する表示具を設けることも好ましい。
【００３３】
また、本実施形態では、前方及び上方へのみ照明可能なシェード４７を備えたフラット状の照明具７を天板２の後部上方に設置している。つまり、前記モニター収納部５の上部には、図２〜図４、図９及び図１０に示すように、前記照明具７を設けている。この照明具７は、フラットディスプレイＤ若しくは保護カバー４６を直接照らすものではなく、ボックス内を全体的に間接照明するように設けたものである。つまり、照明具７の下面は塞がれているが、前部及び上部は透光性のシェード５７で覆われており、内部の蛍光灯５８から発生した光は前方又は上方へ進み、特に上方へ出た光は前記天井パネル体１０の内面で反射されてボックス内を間接照明するのである。このように照明することで、フラットディスプレイＤが見やすくなるのである。
【００３４】
最後に、本発明に係る情報端末ボックスの使用方法を簡単に説明する。先ず、ボックス内に備え付けのパソコンを使用してインターネットに接続するには、前記キーボード収納部６からキーボードＫを取り出して前記天板２に載置する。それから、前記課金装置４にコイン又は紙幣を投入すると、備え付けのパソコンが起動し、インターネット接続が自動的になされ、必要な情報を前記フラットディスプレイＤに表示させることができる。また、音楽を聴いたり、映画やインターネットＴＶを見たり、ネットバンキングを利用したり、行政サービスを受けることができる。また、手持ちのノートパソコンを用いてインターネットに接続するには、前記前面パネル部材４７に設けた電源コンセント５５に電源プラグを接続するとともに、ＬＡＮケーブルをモジュラジャック５６に接続し、それからは常法通りにインターネットを利用するのである。尚、前記課金装置４には、備え付けのパソコンを利用するのか、手持ちのパソコンを利用するのかを選択するモードスイッチを設けておくことが実用的である。
【００３５】
また、本発明に係る情報端末ボックスは、複数台を同一方向に配列して設置したり、２台一組で向かい合わせに設置したり、更には内部空間を広くして二人用にしたりとその配置バリエーションは多い。そのとき、各情報端末ボックスに跨って配線する必要があるときには、前記ベース体８の巾木部材１４のキャップを外して前記コード挿通孔１８を利用するのである。また、前記ボックス本体１は左右対称形であるので、前記開閉扉１１と、前記壁パネル２１及び延長パネル２５とを、取付位置を交換することができる。また、前記開閉扉１１の取付けはオプションとし、該開閉扉１１を設けずに出入口をオープンとすることができる。
【図面の簡単な説明】
【００３６】
【図１】本発明に係る情報端末ボックスの全体斜視図である。
【図２】同じく情報端末ボックスの簡略縦断側面図である。
【図３】同じく情報端末ボックスの簡略横断面図である。
【図４】同じく情報端末ボックスの簡略縦断正面図である。
【図５】ボックス本体の省略分解斜視図である。
【図６】内部設備を示す全体簡略斜視図である。
【図７】同じく内部設備を背面側から見た全体簡略斜視図である。
【図８】モニター収納部の分解斜視図である。
【図９】同じくモニター収納部の拡大縦断面図である。
【図１０】照明具を示し、（ａ）は平面図、（ｂ）は断面図である。
【符号の説明】
【００３７】
１  ボックス本体        ２  天板
３  椅子                ４  課金装置
５  モニター収納部      ６  キーボード収納部
７  照明具              ８  ベース体
９  壁パネル体          １０  天井パネル体
１１  開閉扉            １２  チャンネル部材
１３  補強部材          １４  巾木部材
１５  アジャスター      １６  床パネル
１７  凹溝              １８  コード挿通孔
１９  コーナーパネル    ２０  壁通気パネル
２１  壁パネル          ２２  フランジ部
２３  連結部            ２４  フランジ部
２５  延長パネル        ２５Ａ  突片
２６  蝶番              ２７  アーチパネル
２８  天井通気パネル    ２９  フランジ部
３０  切欠部            ３１  脚板
３２  格納部            ３３  点検パネル
３４  通気孔            ３５  脚柱
３６  座クッション体    ３７  背凭れ杆
３８  背クッション体    ３９  筐体
４０  操作板            ４１  コイン投入口
４２  紙幣吸込口        ４３  返却レバー
４４  返却口            ４５  表示部
４６  保護カバー        ４７  前面パネル部材
４８  背面パネル部材    ４９  開口部
５０  保持部材          ５１  ヒンジ部材
５２  施錠具            ５３  係合部
５４  放熱用開口        ５５  電源コンセント
５６  モジュラジャック  ５７  シェード
５８  蛍光灯            Ｄ  フラットディスプレイ
Ｋ  キーボード
【図１】
2005085100.tif 000003
【図２】
2005085100.tif 000004
【図３】
2005085100.tif 000005
【図４】
2005085100.tif 000006
【図５】
2005085100.tif 000007
【図６】
2005085100.tif 000008
【図７】
2005085100.tif 000009
【図８】
2005085100.tif 000010
【図９】
2005085100.tif 000011
【図１０】
2005085100.tif 000012